(57)【要約】【課題】本発明は、モータの軸受の温度を検出して最適な可変ゲインと可変時定数を用いて、温度に関係なくモータを起動させることを目的とする。【解決手段】本発明によるモータのサーボ駆動方法は、軸受温度(31)に応じた摩擦係数(12)及び粘性係数(10)を取り込んで得られた可変ゲイン(K)及び可変時定数(Ts)をパラメータとしてサーボ系(50)に入力し、温度に関係のないモータ(M)の起動を行う方法である。【選択図】図２
2006054978.tif 000002
【特許請求の範囲】
【請求項１】
モータ(M)の軸受(M1,M2)をヒータで加熱し、前記モータ(M)を駆動するサーボ系(50)に前記軸受(M1,M2)の軸受温度(31)を用いるようにしたモータのサーボ駆動方法において、  前記軸受温度(31)に基づいて選択した摩擦係数(12)及び粘性係数(10)をゲイン推定部(36)及び時定数推定部(37)に入力し、前記ゲイン推定部(36)から得た可変ゲイン(K)及び前記時定数推定部(37)から得た可変時定数(TS)を前記サーボ系(50)に用いることにより、前記軸受(M1,M2)の温度に関係なく前記モータ(M)を駆動することを特徴とするモータのサーボ駆動方法。
【請求項２】
前記摩擦係数(12)及び粘性係数(10)は、予め設定された摩擦テーブル(32)及び粘性テーブル(33)に複数種記憶されていることを特徴とする請求項１記載のモータのサーボ駆動方法。
【発明の詳細な説明】
【技術分野】
【０００１】
本発明は、軸受の温度を検出し、その温度に最適な摩擦係数及び粘性係数に基づくゲイン推定及び時定数推定により得た可変ゲイン及び可変時定数を用いてサーボ系を駆動し、温度の高低に関係なくモータを駆動できるようにするための新規な改良に関する。
【背景技術】
【０００２】
従来、用いられていたこの種のモータのサーボ駆動方法としては、特許文献は開示していないが、軸受の低温時の摩擦、粘性特性変化に対しては、軸受にヒータを取付け、一定温度になるまではモータを駆動させないようにしていると共に、サーボ特性の悪化を所定の温度に達するまでは、許容することになっていた。
【発明の開示】
【発明が解決しようとする課題】
【０００３】
従来のモータのサーボ駆動方法は、以上のように構成されていたため、次のような課題が存在していた。
すなわち、軸受の温度が一定値に達するまでは、モータを駆動させないため、例えば、空間安定装置等の高精度が要求されるサーボ系システムにおいては、電源投入後、所定時間経過するまでは、駆動することができず、迅速な立上りが要求される機器には適用が困難であった。
【課題を解決するための手段】
【０００４】
本発明によるモータのサーボ駆動方法は、モータの軸受をヒータで加熱し、前記モータを駆動するサーボ系に前記軸受の軸受温度を用いるようにしたモータのサーボ駆動方法において、前記軸受温度に基づいて選択した摩擦係数及び粘性係数をゲイン推定部及び時定数推定部に入力し、前記ゲイン推定部から得た可変ゲイン及び前記時定数推定部から得た可変時定数を前記サーボ系に用いることにより、前記軸受の温度に関係なく前記モータを駆動する方法であり、前記摩擦係数及び粘性係数は、予め設定された摩擦テーブル及び粘性テーブルに複数種記憶されている方法である。
【発明の効果】
【０００５】
本発明によるモータのサーボ駆動方法は、以上のように構成されているため、次のような効果を得ることができる。
すなわち、軸受温度を測定することにより、軸受の摩擦（静摩擦）及び粘性の各トルク値を推定し、その温度に最適なサーボパラメータ(可変ゲイン、可変時定数)を用い、使用温度範囲内での精度を一定に保つことができる。
また、温度に関係なくモータの立上げを行うことができる。
【発明を実施するための最良の形態】
【０００６】
本発明は、軸受温度に基づいて軸受の摩擦及び粘性の各トルク値を推定し、その温度に最適なサーボパラメータを与えることにより、使用温度範囲内での精度を一定に保つようにすることを目的とする。
【実施例】
【０００７】
以下、図面と共に本発明によるモータのサーボ駆動方法の好適な実施の形態について説明する。
図１において符号１で示されるものは図３のレゾルバＲＳ付きのモータＭに速度指令２が入力される加算器であり、前記加算器１の出力は第１減算器３及び電流補償４を経て１／Ｒ＋Ｌｓ（Ｒはモータの抵抗、Ｌｓは巻線のインダクタンス）、ＫＴ（トルク定数）を経て第２減算器５へ入力される。
【０００８】
前記第２減算器５の出力は、１／ＪＳ（Ｊはイナーシャ）、ねじり６（剛性定数）及び積分器７をＲ／Ｄ変換器８に入力され、前記１／ＪＳの出力側の速度９は後述の粘性係数１０を経て第２減算器５に入力され、前記ねじり６の出力１１は後述の摩擦係数１２を経て第２減算器５に入力されている。
【０００９】
前記Ｒ／Ｄ変換器８の出力Ｖｅｌ（軸回りの速度）は、Ｊ・Ｓ（Ｊはイナーシャ）にてトルクを電流に変換（すなわち、トルクオブザーバ）して第３減算器１３に入力される。
前記加算器１の出力は、ＫＴ／ＫＩを経て第３減算器１３に入力され、この第３減算器１３の出力１３ａは、１／１＋Ｔｓ（Ｔｓは可変時定数）及びＫ（可変ゲイン）を経て前記加算器１へ入力されている。
また、前記１／Ｒ＋Ｌｓの出力２０は、ＫＩ（電流定数）を経て第１減算器３に入力されている。
【００１０】
前記粘性係数１０及び摩擦係数１２は、図２で示されるゲイン及び時定数算出処理系３０で得られるように構成され、モータの軸受（図示せず）で検出された軸受温度３１は摩擦テーブル３２及び粘性テーブル３３が収納された記憶部３４であり、この摩擦テーブル３２には複数種の軸受温度３１に対応して予め設定された複数の摩擦係数１２が記憶されている。
【００１１】
また、前記摩擦テーブル３２には、複数種の軸受温度３１に対応して予め設定された複数の粘性係数１０が記憶され、検出された軸受温度３１によって自動的に摩擦係数１２及び粘性係数１０が読み出されてゲイン／時定数演算部３５に入力されるように構成されている。
【００１２】
前記ゲイン／時定数演算部３５には、ゲイン推定部３６及び時定数推定部３７が設けられており、各々摩擦係数１２と粘性テーブル３３が同時に入力され、前記軸受温度３１に対応した最適の可変ゲインＫ及び可変時定数Ｔｓが前記各推定部３６及び３７から出力される。
【００１３】
従って、モータＭに対して電源をオンとすると、図１に示されるモータＭのサーボ系５０に対して、その時の軸受Ｍ１，Ｍ２の温度センサＴＨ１，ＴＨ２で検出した軸受温度３１に最適な摩擦係数１２及び粘性係数１０が入力され、各推定部３６、３７から得られた可変ゲインＫ及び可変時定数Ｔｓが適用されてサーボ駆動が行われ、モータは温度に関係のない起動を行うことができる。
【産業上の利用可能性】
【００１４】
本発明は、大型、小型に拘わらず全種類のモータの駆動に適用可能である。
【図面の簡単な説明】
【００１５】
【図１】本発明によるモータのサーボ駆動方法を示すブロック図である。
【図２】図１の要部を示す具体的ブロック図である。
【図３】本発明のモータの軸受を示す概略構成図である。
【符号の説明】
【００１６】
１    加算器
２    速度指令
３    第１減算器
４    電流補償
５    第２減算器
６    ねじり
８    Ｒ／Ｄ変換器
１０    粘性係数
１２    摩擦係数
１３    第３減算器
Ｋ    可変ゲイン
Ｔｓ    可変時定数
３０    ゲイン及び特定数算出処理系
３１    軸受温度
３２    摩擦テーブル
３３    粘性テーブル
３４    記憶部
３５    ゲイン／時定数演算部
３６    ゲイン推定部
３７    時定数推定部
Ｍ    モータ
Ｍ１，Ｍ２    軸受
【図１】
2006054978.tif 000003
【図２】
2006054978.tif 000004
【図３】
2006054978.tif 000005